(57)【要約】【課題】本発明は、病室に入る場合の一連の動作に手指消毒の行為を関連付けることによって、手指消毒を自然に行える消毒液塗布手段を内蔵する廊下灯を提供する。【解決手段】廊下灯１は、本体１０と表示灯４と復旧ボタン５と消毒液タンク６と液体吐出機構（消毒液塗布手段）７とを備える。本体１０は、病室の外の廊下の壁に取り付けられる。表示灯４は、ナースコールの子機が操作されると待機状態から点灯状態へ変化する。復旧ボタン５は、本体１０の外部に露出して設けられ、点灯状態の表示灯４を手動操作によって待機状態に回復させる。消毒液タンク６は、本体１０に内蔵されて、消毒液６００を貯留する。液体吐出機構７は、復旧ボタン５を手動操作した手指に消毒液タンク６に貯留された消毒液６００を付着させる。【選択図】      図１
2008073348.tif 000002
【特許請求の範囲】
【請求項１】
ナースコールの子機が設置された病室の外の廊下の壁に取り付けられる本体と、
前記子機が操作されたことを待機状態から点灯状態へ変化することによって報知する表示灯と、
前記本体の外部に露出して設けられ、点灯状態の前記表示灯を手動操作によって待機状態に回復させる復旧ボタンと、
前記本体に内蔵されて、消毒液を貯留する消毒液タンクと、
前記復旧ボタンを手動操作した手指に前記消毒液タンクに貯留された消毒液を付着させる消毒液塗布手段と
を備えることを特徴とする廊下灯。
【請求項２】
前記消毒液塗布手段は、
前記復旧ボタンに開口された噴射孔と、
前記復旧ボタンが操作されることによって前記消毒液タンクに貯留されている消毒液を前記噴射孔から噴出させる液体吐出機構と
を備えることを特徴とする請求項１に記載の廊下灯。
【発明の詳細な説明】
【技術分野】
【０００１】
本発明は、病棟の各部屋の入口近辺の廊下の壁に設置される廊下灯に関する。
【背景技術】
【０００２】
院内感染を防ぐために、手や指を消毒するための消毒用アルコール溶液などの入った容器は各病室へ通じる入口の廊下側の壁面に設置されている。特許文献１に記載の戸装置は、引き戸または回動式扉の戸当り部もしくは子扉に、この手指消毒液の入った容器を設置している。戸当り部もしくは子扉の壁面には、外面から引込んだ収納部が設けられている。手指消毒液が入れられた容器は、この収納部に設置されている。
【０００３】
容器は、上部に押しボタンとノズル部とを有しており、押ボタンが押されることによって、ノズル部から消毒液を吐出させる。押ボタンおよびノズル部が壁面よりも廊下側に突出するように、容器は、傾いた状態に収納部に収納されている。
【０００４】
また、特許文献２に記載の手指の消毒率表示装置は、病室の入口に設置され、通過検知装置と消毒検知装置と表示装置とを備えている。通過検知装置は、病室に出入りするものを検出する。消毒検知装置は、病室の外である廊下の壁に設置された消毒液ボトルに装着されており、消毒液ボトルが使用された回数を検出する。
【０００５】
表示装置は、通過検知装置から出力される信号を通過数として記憶し、消毒検知装置から出力される信号を消毒回数として記憶する。表示装置は、通過回数と消毒回数とから消毒率を算出し、これを表示する。
【特許文献１】特開２００２−１８８３７５号公報
【特許文献２】実用新案登録第３１１３８３５号公報
【発明の開示】
【発明が解決しようとする課題】
【０００６】
しかしながら、特許文献１および特許文献２に記載された手指消毒の手法によれば、手指消毒の動作は、病室に入るための動作と関連性が少ない。したがって、いずれの場合も病室に入る者にその意思が無い限り、急いでいるときは特に手指消毒することを忘れていても、それに気付かないこともある。
【０００７】
また、回診の場合を除き、病室に入る医療従事者の多くは、その病室に設置されたナースコールで呼び出されることによって訪れることがほとんどである。一般的に各病室の寝台の周囲に用意されるナースコールの子機は、医療従事者が待機するナースセンターに設置される管理装置の他に、各病室の入口に設置された廊下灯と連動している。廊下灯は、表示灯と復旧ボタンとを有している。表示灯は、子機で呼出が行われると点灯する。復旧ボタンは、点灯した表示灯を復旧させるために、その病室に駆けつけた医療従事者によって操作される。したがって、呼び出された医療従事者は、各病室に到着すると、入口に設置されている廊下灯の復旧ボタンを必ず触る。
【０００８】
そこで、本発明は、ナースコール等の呼出に応じて、病室に入る場合の一連の動作に手指消毒の行為を関連付けることによって、手指消毒を自然に行える消毒液塗布手段を内蔵する廊下灯を提供する。
【課題を解決するための手段】
【０００９】
本発明に係る廊下灯は、本体と表示灯と復旧ボタンと消毒液タンクと消毒液塗布手段とを備える。本体は、ナースコールの子機が設置された病室の外の廊下の壁に取り付けられる。表示灯は、子機が操作されたことを待機状態から点灯状態へ変化することによって報知する。復旧ボタンは、本体の外部に露出して設けられ、点灯状態の表示灯を手動操作によって待機状態に回復させる。消毒液タンクは、本体に内蔵されて、消毒液を貯留する。消毒液塗布手段は、復旧ボタンを手動操作した手指に消毒液タンクに貯留された消毒液を付着させる。
【００１０】
この場合、消毒液塗布手段は、噴射孔と液体吐出機構とを備えることが好ましい。噴射孔は、復旧ボタンに開口される。液体吐出機構は、復旧ボタンが操作されることによって消毒液タンクに貯留されている消毒液を噴射孔から噴出させる。
【発明の効果】
【００１１】
本発明に係る廊下灯によれば、ナースコールによって作動する表示灯の復旧ボタンを操作することによって、この復旧ボタンを操作した手指に消毒液が塗布される。復旧ボタンは、ナースコールによって呼び出され病室に到着した医療従事者が必ず操作し触れる。このように、病室に入る前に手指を消毒するという動作と、表示灯を復旧させるという動作とが、１つの動作に関連付けられているので、病室に一番に到着した医療従事者は、少ない動作で表示灯の復旧と手指の消毒とを済ませることができ、呼び出された要件に迅速に対応することができるようになる。
【００１２】
また、消毒液を貯留する容器を廊下灯に内蔵したので、消毒液の容器を別途設置するための場所を必要としない。したがって、廊下を往来する人や車椅子、移動ベッド等の邪魔にならないだけでなく、各病室の入口近辺に設置された消毒液の容器を引っ掛けて落としてしまう心配もなくなる。
【発明を実施するための最良の形態】
【００１３】
本発明に係る第１の実施形態の廊下灯１について、図１から図１０を参照して説明する。図１に示す廊下灯１は、病院内に設けられた病室の入口の近辺の外側である廊下の壁に取り付けられる。病室には、ナースコールの子機が寝台の数に応じて設備されている。廊下灯１は、図１に示すように、対応する病室の番号表示部２と、その病室に入院している人の氏名を表示する表札３とを本体１０に有している。
【００１４】
また、この廊下灯１は、表示灯４と復旧ボタン５と消毒液タンク６と液体吐出機構７とを本体１０に備える。液体吐出機構７は、消毒液塗布手段の一形態である。表示灯４は、各表札３の隣にそれぞれ設けられており、ナースコールの子機が操作されると、待機状態から点灯状態へと変化する。ナースコールの親機は、ナースセンターに設置されている。ナースセンターには、看護師や医者等の医療従事者が待機しており、子機に設けられた呼出ボタンが操作されると、どの病室のどの寝台に付随する子機が操作されたか判るようになっている。
【００１５】
ナースコールによって子機からの呼出があった場合、医療従事者は、ナースコールのインターホン機能を利用して子機を操作した者と通話するか、操作された子機のところまで駆け付けるかして、状況を確認する。また、操作された子機が設置された病室に駆け付けた医療関係者は、病室に入る前に復旧ボタン５を押して、表示灯４を点灯状態から待機状態に回復させる。復旧ボタン５は、図１に示すように廊下灯１の下部中央に露出して設けられている。
【００１６】
復旧ボタン５の中央には、噴出孔５１が設けられている。消毒液タンク６と液体吐出機構７とは、廊下灯１の本体１０に内蔵されている。噴出孔５１は、液体吐出機構７を介して消毒液タンク６に通じている。消毒液タンク６には、アルコール等の消毒液６００が貯留されている。復旧ボタン５を奥まで押込み、放すことによって、消毒液タンク６に貯留されている消毒液６００は、液体吐出機構７によって噴出孔５１から噴出す。この結果、復旧ボタン５を押した手指には、必ず消毒液６００が塗布される。
【００１７】
復旧ボタン５を押したことによって消毒液６００を吐出させる液体吐出機構７について、以下に具体的に説明する。
【００１８】
図２に示すように、液体吐出機構７は、消毒液タンク６の上に配置され、正面に復旧ボタン５が装着されている。消毒液タンク６は、底部中央が最も深くなるように作られた外殻容器６１と、底部中央に届くように設けられた汲出管６２とを備えている。また、復旧ボタン５が押込まれた場合にこの復旧ボタン５と接触する位置にスイッチ５２が配置されている。このスイッチ５２は、復旧ボタン５があたって押込まれることによって、点灯状態の表示灯４を待機状態に回復させるための信号を出力する。
【００１９】
液体吐出機構７は、図３に示すように、ハウジング７１と圧力供給コック７２と流路切換ロッド７３とガスボンベ７４とを備えている。ハウジング７１は、図６に示すように、互いに立体交差する配置に第１の貫通孔７１１および第２の貫通孔７１２を有している。第１の貫通孔７１１には、図３および図５に示すように圧力供給コック７２が装着される。第２の貫通孔７１２には、流路切換ロッド７３が挿入される。
【００２０】
第１の貫通孔７１１と第２の貫通孔７１２とは、図６に示すように、ハウジング７１のほぼ中央部で第１の経路７１３によって連通されている。また、ハウジング７１は、第２の貫通孔７１２から消毒液タンク６に向かって延びる第２の経路７１４と第３の経路７１５を有している。第２の経路７１４は、第１の経路７１３に対して復旧ボタン５が配置される手前側と反対側の奥側に配置され、第３の経路７１５は、第１の経路７１３に対して手前側に配置されている。
【００２１】
図３および図８に示すように、消毒液タンク６は、上部に加圧ポート６３および液吐出ポート６４を有している。加圧ポート６３および液吐出ポート６４には、それぞれＯリング６５が装着されている。第２の経路７１４は、加圧ポート６３と気密に嵌合するガス供給口７１６を有し、第３の経路７１５は、液吐出ポート６４と液密に接続される消毒液流入口７１７を有している。
【００２２】
液吐出ポート６４は、外殻容器６１の中に延びる汲出管６２を装着するために外殻容器６１と別体に設けられており、汲出管６２が装着された状態で外殻容器６１に接着固定される。消毒液タンク６は、加圧ポート６３および液吐出ポート６４以外、気密に構成されている。
【００２３】
圧力供給コック７２は、第１の貫通孔７１１に差し込まれる弁体７２１とガスボンベ７４が接続されるボンベ取付部７２２とを有している。ガスボンベ７４は、二酸化炭素または窒素など消毒液を劣化させない不活性ガスを高圧で封入したカートリッジである。ボンベ取付部７２２に螺合されることによって、ガスボンベ７４は、開封される。圧力供給コック７２は、図２に示すようにガスボンベ７４を消毒液タンク６に沿う方向へ向けた状態で、ボンベ取付部７２２から第１の経路７１３とを連通させる圧力供給路７２３が形成されている。
【００２４】
圧力供給コック７２のエルボ部の弁体７２１の延長上に位置する部分には、圧力供給路７２３を加工したときにできる開口を塞ぐプラグ７２４が装着される。また、圧力供給路７２３の出口の外周、およびこの出口を挟んで弁体７２１の外周には、Ｏリング７２５，７２６が取り付けられている。
【００２５】
また、図３および図７に示すように、圧力供給路７２３の出口に対してＯリング７２５より離れた位置にグルーブ７２７が設けられている。圧力供給コック７２が第１の貫通孔７１１から抜けないように、このグルーブ７２７に嵌合するロックピン７２８がハウジング７１に圧入されている。なお、ロックピン７２８の代わりにスプリングピンや割ピンであってもよいし、ＥリングやＣリングを取り付けられる構造としてもよい。
【００２６】
流路切換ロッド７３は、図３に示すように、第２の貫通孔７１２に奥側から摺動自在に挿入されている。また、流路切換ロッド７３は、図５や図８に示すように、ハウジング７１の手前側に突出する十分な長さを有しており、突出した部分に復旧ボタン５が取り付けられている。復旧ボタン５とハウジング７１との間の流路切換ロッド７３の外周には、流路切換ロッド７３を手前側に付勢するスプリング７５が装着されている。
【００２７】
流路切換ロッド７３は、ハウジング７１の中を移動して流路を切換えるためのいわゆるスプールであり、アウタースリーブ７３１とコア７３２とで構成されている。アウタースリーブ７３１は、奥側にフランジ７３３を有している。このフランジ７３３は、スプリング７５によって手前側に飛び出すことを防ぐストッパの役割をしている。アウタースリーブ７３１は、この内側と外側を連通する気体ポート７３４および液体ポート７３５を有している。
【００２８】
図８に示すように、流路切換ロッド７３がフランジ７３３によって係止された状態において、気体ポート７３４は、第１の経路７１３に連通され、液体ポート７３５は、第３の経路に連通される。また、図９に示すように復旧ボタン５が操作されることによって流路切換ロッド７３が奥側に移動させられた状態において、気体ポート７３４は、第１の経路７１３と遮断され、第２の経路７１４と連通される。図９に示す状態において、液体ポート７３５は、第３の経路７１５と遮断される。
【００２９】
上述のように流路切換ロッド７３が摺動した場合に、気体ポート７３４および液体ポート７３５がそれぞれ第１の経路７１３、第２の経路７１４、第３の経路７１５に対して、連通または遮断されるために、アウタースリーブ７３１は、外周に溝が形成され、Ｏリング７３６が装着されている。
【００３０】
コア７３２は、アウタースリーブ７３１に手前側から嵌入されている。これにより、アウタースリーブ７３１の奥側にガスチャンバ７６が形成されている。このガスチャンバ７６は、気体ポート７３４に連通している。コア７３２の中心には、手前側に貫けて復旧ボタン５の噴出孔５１に通じる液体経路７３７が設けられている。また、液体経路７３７は、コア７３２を直径方向に貫通する孔によって、液体ポート７３５に連通している。さらに、コア７３２は、気体ポート７３４と液体ポート７３５とを分離するために、これらの間に対応する位置の外周に溝が形成されＯリング７３８が装着されている。
【００３１】
以上のように構成された液体吐出機構７は、以下のように機能する。まず、図４に示すように、ガスボンベ７４および消毒液タンク６を取り付ける場合、もしくは交換する場合について説明する。廊下灯１の本体１０の手前側に設けられるカバー１１には、カム１２が設けられている。カバー１１を開けると消毒液タンク６が下りて、液体吐出機構７から分離される。また、カバー１１を閉じると、消毒液タンク６は、カム１２によって押し上げられ、液体吐出機構７に接続される。
【００３２】
ガスボンベ７４は、圧力供給コック７２のボンベ取付部７２２が手前側に向いている状態で、開封されるまでねじ込まれる。このとき、圧力供給路７２３は、第１の経路７１３と遮断された状態である。ガスボンベ７４が圧力供給コック７２に接続されると、図４に示すようにガスボンベ７４ごと回動され、圧力供給路７２３は、図５および図７に示すように第１の経路７１３に接続される。
【００３３】
図８に示すように、スプリング７５によって流路切換ロッド７３が手前側に寄せられている待機状態において、ガスチャンバ７６は、気体ポート７３４および第１の経路７１３を介してガスボンベ７４に接続されることによって、このガスボンベ７４の圧力と平衡する。
【００３４】
図９に示すように復旧ボタン５を奥まで押込むと、復旧ボタン５が取り付けられた流路切換ロッド７３が移動し、気体ポート７３４は、第１の経路７１３と遮断され第２の経路７１４と連通される。この結果、ガスチャンバ７６内のガスは、消毒液タンク６に移動する。このとき図９に示すように液体ポート７３５は、第３の経路７１５と遮断された状態である。したがって、消毒液タンク６の中は、大気圧よりも加圧された状態となる。また、復旧ボタン５が押込まれることによって、スイッチ５２が作動し信号を出力する。この信号を基に、表示灯４は、表示を待機状態に回復される。
【００３５】
図１０に示すように復旧ボタン５を放すと、スプリング７５によって流路切換ロッド７３は待機状態に戻される。液体ポート７３５は、第３の経路７１５と接続され、気体ポート７３４は、第２の経路７１４と遮断される。したがって、消毒液６００は、消毒液タンク６内部の圧力によって、汲出管６２から第３の経路７１５、液体経路７３７を通って、噴出孔５１から吐出される。
【００３６】
抽出される消毒液６００の量は、ガスチャンバ７６に隔離されるガスの体積と圧力によって、一定量に決まる。したがって、ガスボンベ７４の定格圧力に応じてガスチャンバ７６の容積を決定すれば、復旧ボタン５を１回操作することによって手指に塗布される消毒液の吐出量を適量に設定することができる。このように、本実施形態のように、ガスボンベ７４を用いているので、復旧ボタン５の押込みストロークが小さくても、これに関係なく、手指消毒に十分な量の消毒液６００を吐出させることができる。
【００３７】
また、図１０に示すように、流路切換ロッド７３が待機状態に戻ることによって、気体ポート７３４が第１の経路７１３と接続され、ガスボンベ７４からガスチャンバ７６にガスが充填される。
【００３８】
このように、この廊下灯１に設けられた液体吐出機構７は、復旧ボタン５を１回操作することによって、適量の消毒液６００が吐出されるとともに、表示灯４が復旧される。また、液体吐出機構７は、復旧ボタン５を放したときにちょうど消毒液が吐出される機構を有しているので、噴出孔５１を指で塞いでしまうこともない。
【００３９】
噴出孔５１の形状、またはコア７３２に設けられる液体経路７３７の出口の形状を一般に知られるスプレーの噴出ノズルのように形成することによって、消毒液６００を霧状に噴射させることも可能である。また、汲出管６２が消毒液タンク６の最下部に届くように設けられているので、最後まで完全に消毒液を使い切ることができる。
【００４０】
ガスボンベ７４および消毒液タンク６は、カートリッジ式であるため、消耗品としての交換が容易である。特にガスボンベ７４は、廊下灯１に向かって突き立てる向きで圧力供給コック７２に装着される場合、圧力供給路７２３が遮断された状態であるので、誤って消毒液６００が噴出することもない。
【００４１】
本発明に係る第２の実施形態の廊下灯について、図１１および図１２を参照して説明する。なお、第１の実施形態における廊下灯と同じ機能を有する構成は、同一の符号を付してその説明を省略する。
【００４２】
本実施形態における廊下灯１は、復旧ボタン５の操作部に滲出部材５３を備えている。滲出部材５３は、スポンジ状の柔軟な発泡体であり、噴出孔５１を塞ぐ位置に取り付けられている。噴出孔５１から吐出された消毒液６００は、滲出部材５３の表面を適度に湿らせ、かつ、垂れ落ちないように滲出部材５３に保持される。
【００４３】
また、この実施形態における液体吐出機構７は、復旧ボタン５が押込まれた状態で液体経路７３７が消毒液タンク６と連通される位置に第３の経路７１５を配置している。消毒液タンク６の液吐出ポート６４は、復旧ボタン５が押込まれた状態で開通される液体供給路の入口に対応する位置に配置される。
【００４４】
なお、第３の経路７１５を奥行き方向へ斜めに開通させることによって、第１の実施形態における消毒液タンク６の加圧ポート６３と液吐出ポート６４との位置を変更することなく、そのまま第２の実施形態の液体吐出機構７に適用することも可能である。上記以外の構成は、第１の実施形態における廊下灯の液体吐出機構と同じであるので、ここでの記載を省略する。
【００４５】
上記構成を備える第２の実施形態の液体吐出機構７は、復旧ボタン５を奥まで押込むと、ガスチャンバ７６は、第２の経路７１４を介して消毒液タンク６に連通され、液体経路７３７は、第３の経路７１５を介して消毒液タンク６に連通される。したがって、消毒液６００は、復旧ボタン５が押込まれた状態で、消毒液タンク６からガス圧によって汲み上げられ、滲出部材５３に染み渡る。このように、本実施形態の液体吐出機構７は、復旧ボタン５を押した時に消毒液６００が滲出部材５３に染み出し、手指に付着する。
【００４６】
なお、第１の実施形態および第２の実施形態において、復旧ボタン５は、一度押せば表示灯４を点灯状態から待機状態に復旧させることができるものであり、待機状態で何度押してもナースコールに対して何か変化をもたらすものではない。したがって、ナースコールの子機が操作されて点灯状態となった表示灯４を復旧させるため以外に、その病室に入室する前に消毒液６００を手指に塗布するためにこの復旧ボタン５を操作してもよい。
【００４７】
また、消耗品である消毒液６００がなくなった場合、消毒液タンク６を交換する必要がある。光学式の液量センサなどを設けて消毒液６００の残量を検出し、消毒液６００が無くなった、あるいは消毒液６００が残りわずかとなったと判断した場合、アラームを鳴らしたり表示灯４を呼び出し時と異なる状態に点灯させたりすることによって消毒液タンク６の交換を促すことを報知することも好ましい。
【産業上の利用可能性】
【００４８】
本発明は、部屋に入る前または出た後で手指の消毒が必要となる施設の各部屋の入口に設置し、衛生面に配慮することができる。
【図面の簡単な説明】
【００４９】
【図１】本発明に係る第１の実施形態の廊下灯を示す正面図。
【図２】図１に示した廊下灯に内蔵される液体吐出機構の斜視図。
【図３】図２に示した液体吐出機構の分解斜視図。
【図４】図２に示した液体吐出機構の消耗品を交換する状況の斜視図。
【図５】図２に示した液体吐出機構の一部を断面にした斜視図。
【図６】図３に示した液体吐出機構のハウジングの一部を断面にした斜視図。
【図７】図５に示した液体吐出機構の圧力供給路を通る断面図。
【図８】図５に示した液体吐出機構の液体径路を通る断面図。
【図９】図５に示した液体吐出機構の液体径路を通る断面図において復旧ボタンを指で押込んだ状態の図。
【図１０】図５に示した液体吐出機構の液体経路を通る断面図において復旧ボタンを押込んだ後で復旧ボタンから指を離した状態の図。
【図１１】本発明に係る第２の実施形態の廊下灯に組み込まれる液体吐出機構の液体経路を通る断面図。
【図１２】図１１に示した液体吐出機構の液体経路を通る断面図において復旧ボタンを指で押込んだ状態の図。
【符号の説明】
【００５０】
１…廊下灯、４…表示灯、５…復旧ボタン、６…消毒液タンク、７…液体吐出機構（消毒液塗布手段）、１０…本体、５１…噴出孔、６００…消毒液。
【図１】
2008073348.tif 000003
【図２】
2008073348.tif 000004
【図３】
2008073348.tif 000005
【図４】
2008073348.tif 000006
【図５】
2008073348.tif 000007
【図６】
2008073348.tif 000008
【図７】
2008073348.tif 000009
【図８】
2008073348.tif 000010
【図９】
2008073348.tif 000011
【図１０】
2008073348.tif 000012
【図１１】
2008073348.tif 000013
【図１２】
2008073348.tif 000014